(57)【要約】      （修正有）【課題】データの利用者が要求するデータとデータの提供者が提供するデータを合致させることができるデータ処理装置、データ処理方法、データ処理プログラム、制御プログラムおよび端末装置を提供する。【解決手段】データシステム１０において、提供側端末装置１００は、データ提供者が各種データを入力してそのデータをデータ処理装置２００に送信する。データ処理装置２００は、提供側端末装置１００から送信されたデータを受信し、データ利用者の利用側端末装置３００に提供するためにデータの保存、変換、信託、送受信などを行う。利用側端末装置３００は、データ処理装置２００にデータの提供を要求し、その要求に応じてデータ処理装置２００を介して提供側端末装置１００から提供されたデータを受信する。【選択図】図１
2020190797.tif 000002
【特許請求の範囲】
【請求項１】
データ提供者の端末装置から送信されたデータを受信する受信部と、
データ利用者の要求に応じて前記データを変換するデータ変換部と、
変換データを前記データ提供者の端末装置に送信する送信部と
を備えるデータ処理装置。
【請求項２】
前記決定情報に対応した前記変換データを前記データ利用者の端末装置に送信する
請求項１に記載のデータ処理装置。
【請求項３】
前記変換データと共に該変換データの提供に応じたインセンティブを示すインセンティブ情報を前記データ提供者の端末装置に送信する
請求項１に記載のデータ処理装置。
【請求項４】
前記データ提供者の前記端末装置において決定された前記データ利用者に提供する前記変換データを示す決定情報を前記端末装置から受信する
請求項１に記載のデータ処理装置。
【請求項５】
前記インセンティブ情報は前記データ利用者の端末装置から受信する
請求項４に記載のデータ処理装置。
【請求項６】
前記インセンティブ情報を生成する
請求項４に記載のデータ処理装置。
【請求項７】
前記データ変換部は、複数の要素からなる前記データを前記データ利用者が設定した段階ごとに分類する
請求項１に記載のデータ処理装置。
【請求項８】
受信した前記データを暗号化して保存する
請求項１に記載のデータ処理装置。
【請求項９】
データ提供者の端末装置から送信されたデータを受信し、
データ利用者の要求に応じて前記データを変換し、
変換データを前記データ提供者の端末装置に送信する
データ処理方法。
【請求項１０】
データ提供者の端末装置から送信されたデータを受信し、
データ利用者の要求に応じて前記データを変換し、
変換された前記データを前記データ提供者の前記端末装置に送信する
情報処理方法をコンピュータに実行させるデータ処理プログラム。
【請求項１１】
データ提供者の端末装置において、
データをデータ処理装置に送信し、
前記データ処理装置が変換処理を施して送信した変換データを受信し、
受信した前記変換データをデータ提供者に提示する
制御方法を実行させる制御プログラム。
【請求項１２】
前記端末装置が備える表示部に前記変換データを表示させて前記データ提供者に提示する
請求項１１に記載の制御プログラム。
【請求項１３】
前記変換データに対応したインセンティブ情報を前記データ処理装置から受信し、前記インセンティブ情報を前記データ提供者に提示する
請求項１１に記載の制御プログラム。
【請求項１４】
前記データ提供者からの入力に基づき決定された、提供するデータを示す決定情報を前記データ処理装置に送信する
請求項１１に記載の制御プログラム。
【請求項１５】
データをデータ処理装置に送信する送信部と、
データ処理装置が変換処理を施して送信した前記データを受信する受信部と、
受信した前記データをデータ提供者に提示する提示処理部と
を備える端末装置。
【発明の詳細な説明】
【技術分野】
【０００１】
本技術は、データ処理装置、データ処理方法、データ処理プログラム、制御プログラムおよび端末装置に関する。
【背景技術】
【０００２】
近年のインターネットやスマートフォンなどの普及、進化によって人々が容易にデータの送受信を行うことが可能となり、データの要求、提供などからなるデータの取引サービス、データの仲介サービスなどが普及しつつある。
【０００３】
データには様々な形式があるため、そのようなデータの取引（仲介）サービスにおいてデータの利用者が求める形式のデータに変換して提供するシステムが提案されている（特許文献１）。
【先行技術文献】
【特許文献】
【０００４】
【特許文献１】特開２０１６−１９２２１８号公報
【発明の概要】
【発明が解決しようとする課題】
【０００５】
しかし特許文献１に記載の技術はあくまでデータの利用者が求める形式のデータに変換して提供するものであり、データ取引サービスにおいてはどの程度の内容のデータを提供するか、データ利用者が要求するデータとデータ提供者が提供するデータをマッチングさせることが重要である。
【０００６】
本技術はこのような点に鑑みなされたものであり、データの利用者が要求するデータとデータの提供者が提供するデータを合致させることができるデータ処理装置、データ処理方法、データ処理プログラム、制御プログラムおよび端末装置を提供することを目的とする。
【課題を解決するための手段】
【０００７】
上述した課題を解決するために、第１の技術は、データ提供者の端末装置から送信されたデータを受信する受信部と、データ利用者の要求に応じてデータを変換するデータ変換部と、変換データをデータ提供者の端末装置に送信する送信部とを備えるデータ処理装置である。
【０００８】
また、第２の技術は、データ提供者の端末装置から送信されたデータを受信し、データ利用者の要求に応じてデータを変換し、変換データをデータ提供者の端末装置に送信するデータ処理方法である。
【０００９】
また、第３の技術は、データ提供者の端末装置から送信されたデータを受信し、データ利用者の要求に応じてデータを変換し、変換されたデータをデータ提供者の端末装置に送信する情報処理方法をコンピュータに実行させるデータ処理プログラムである。
【００１０】
また、第４の技術は、データ提供者の端末装置において、データをデータ処理装置に送信し、データ処理装置が変換処理を施して送信した変換データを受信し、受信した変換データをデータ提供者に提示する制御方法を実行させる制御プログラムである。
【００１１】
さらに、第５の技術は、データをデータ処理装置に送信する送信部と、データ処理装置が変換処理を施して送信したデータを受信する受信部と、受信したデータをデータ提供者に提示する提示処理部とを備える端末装置である。
【図面の簡単な説明】
【００１２】
【図１】データシステムの構成を示すブロック図である。
【図２】提供側端末装置の構成を示すブロック図である。
【図３】データ処理装置の構成を示すブロック図である。
【図４】利用側端末装置の構成を示すブロック図である。
【図５】データシステムにおける処理を示すシーケンス図である。
【図６】データシステムにおける処理を示すシーケンス図である。
【図７】スコア算出部を備えるデータ処理装置の説明図である。
【図８】提供側端末装置におけるユーザインターフェースの第１の例を示す図である。
【図９】提供側端末装置におけるユーザインターフェースの第２の例を示す図である。
【図１０】提供側端末装置におけるユーザインターフェースの第２の例を示す図である。
【図１１】利用側端末装置におけるユーザインターフェースの第２の例を示す図である
【発明を実施するための形態】
【００１３】
以下、本技術の実施の形態について図面を参照しながら説明する。なお、説明は以下の順序で行う。
＜１．実施の形態＞
［１−１．データシステム１０の構成］
［１−２．提供側端末装置１００の構成］
［１−３．データ処理装置２００の構成］
［１−４．利用側端末装置３００の構成］
［１−５．データシステム１０における処理］
［１−６．ユーザインターフェース］
＜２．変形例＞
【００１４】
＜１．実施の形態＞
［１−１．データシステム１０の構成］
まず図１を参照してデータシステム１０の構成について説明する。データシステム１０はデータを提供する者（データ提供者と称する）が使用する提供側端末装置１００と、情報銀行／情報金庫などにおいて処理を行うデータ処理装置２００と、データを利用する者（データ利用者と称する）が使用する利用側端末装置３００とから構成されている。提供側端末装置１００とデータ処理装置２００はネットワークを介して接続されており、利用側端末装置３００とデータ処理装置２００もネットワークを介して接続されている。なお、図１ではデータ提供者とデータ利用者は１つずつ記載してあるが、実際にはデータ処理装置２００にはネットワークを介して多数の提供側端末装置１００と利用側端末装置３００が接続されている。
【００１５】
データ提供者が使用する提供側端末装置１００は、データ提供者が各種データを入力してそのデータをデータ処理装置２００に送信するため、さらに、送信したデータの中からデータ利用者に提供するデータを決定するために用いるものである。
【００１６】
データ提供者とは、最終的にデータ利用者に提供されるデータの持ち主である。データ提供者は自らが有するデータや自らに関するデータを情報銀行／情報金庫のデータ処理装置２００に送信して預ける。そして、預けたデータの中からデータ利用者へ提供するデータの状態や段階（提供レベル）およびデータ提供の可否を決定する。そして、データ提供者はデータ利用者へのデータの提供に応じてインセンティブを得ることができる。データ提供者になるのは個人、企業、組織、団体など様々なものがある。
【００１７】
データ処理装置２００は、提供側端末装置１００から送信されたデータを受信し、データ利用者の利用側端末装置３００に提供するためにデータの保存、変換、信託、送受信などを行うものである。
【００１８】
情報銀行／情報金庫とは、個人、企業、団体、組織などとのデータ活用に関する契約等に基づき、ＰＤＳ（Personal Data Store）等のシステムを活用してデータを管理するとともに、上述の個人等の指示又は予め指定した条件に基づき個人等に代わり妥当性を判断の上、データを第３者に提供する事業のことである。情報銀行／情報金庫はデータ提供者から送信されたデータを保管し、そのデータをデータ利用者からの要求に応じてデータ利用者に提供する。情報銀行／情報金庫はデータ利用者へのデータ提供に応じてデータ利用者から得たインセンティブをデータ提供者に与えるとともに、そのインセンティブの一部を得る。データ処理装置２００は情報銀行／情報金庫において使用されるものである。
【００１９】
利用側端末装置３００はデータ処理装置２００にデータの提供を要求し、その要求に応じてデータ処理装置２００を介して提供側端末装置１００から提供されたデータを受信するものである。そしてデータ利用者は利用側端末装置３００が受信したデータを様々な方法で使用する。
【００２０】
データ利用者とは、データ提供者が情報銀行／情報金庫に送信したデータを情報銀行／情報金庫に介して受け取り、そのデータを様々な目的に利用する者である。データ利用者は自らが必要とするデータを情報銀行／情報金庫に要求し、データの提供を受けた場合、インセンティブを情報銀行／情報金庫およびデータ提供者に支払う。データ利用者になるのは個人、企業、組織、団体など様々なものがある。
【００２１】
［１−２．提供側端末装置１００の構成］
次に図２を参照して提供側端末装置１００の構成について説明する。提供側端末装置１００は少なくとも制御部１０１、記憶部１０２、送受信部１０３、入力部１０４、表示部１０５、提示処理部１０６を備えている。
【００２２】
制御部１０１は、ＣＰＵ（Central Processing Unit）、ＲＡＭ（Random Access Memory）およびＲＯＭ（Read Only Memory）などから構成されている。ＣＰＵは、ＲＯＭに記憶されたプログラムに従い様々な処理を実行してコマンドの発行を行うことによって提供側端末装置１００の全体および各部の制御を行う。
【００２３】
記憶部１０２は、例えば、ハードディスク、フラッシュメモリなどの大容量記憶媒体である。記憶部１０２には提供側端末装置１００で使用する各種アプリケーション、データ処理装置２００に送信するデータなどが格納されている。
【００２４】
送受信部１０３は、データ処理装置２００とデータや各種情報の送受信を行なうための通信モジュールである。通信は、無線ＬＡＮ（Local Area Network）やＷＡＮ（Wide Area Network）、ＷｉＦｉ（Wireless Fidelity）、４Ｇ（第４世代移動通信システム）、５Ｇ（第４世代移動通信システム）、ブロードバンドなどインターネットおよび他の装置などと接続できる方法であればどのようなものを用いてもよい。
【００２５】
入力部１０４は、提供側端末装置１００に対してデータ提供者がデータの入力、データの送信指示など行うためのものである。入力部１０４に対してユーザから入力がなされると、その入力に応じた制御信号が生成されて制御部１０１に供給される。そして、制御部１０１はその制御信号に対応した各種処理を行う。入力部１０４は物理ボタンの他、タッチパネル、モニタと一体に構成されたタッチスクリーン、音声認識による音声入力などでもよい。
【００２６】
表示部１０５は、画像／映像、ＧＵＩ（Graphical User Interface）などを表示するディスプレイなどの表示デバイスである。なお、提供側端末装置１００は表示部１０５以外の出力手段として音声を出力するスピーカなどを備えていてもよい。
【００２７】
提示処理部１０６は、データ処理装置２００から受信した変換データとインセンティブ情報を表示部１０５に表示してデータ提供者に提示する処理を行うものである。変換データ、インセンティブ情報について後述する。提示方法は表示部１０５における表示の他にスピーカからの音声出力などデータ提供者が認識できればどのような方法でもよい。
【００２８】
提供側端末装置１００は以上のようにして構成されている。提供側端末装置１００の具体例としては例えばスマートフォン、タブレット端末、パーソナルコンピュータ、ウェアラブルデバイス、携帯ゲーム機、各種通信装置、各種センサ装置などがある。提供側端末装置１００において本技術に係る処理を行う制御プログラムは予め提供側端末装置１００内にインストールされていてもよいし、ダウンロード、記憶媒体などで配布されて、データ提供者などが自らインストールするようにしてもよい。
【００２９】
［１−３．データ処理装置２００の構成］
次に図３を参照してデータ処理装置２００の構成について説明する。データ処理装置２００は制御部２０１、記憶部２０２、送受信部２０３、データ管理部２０４、データ変換部２０５、信託処理部２０６を備えて構成されている。なお、制御部２０１、記憶部２０２、送受信部２０３は提供側端末装置１００が備えるものと同様であるため説明を省略する。
【００３０】
データ管理部２０４は提供側端末装置１００から送信されて記憶部２０２に保存されたデータをデータ提供者情報、提供先であるデータ利用者情報、データの種類、データの形式などに基づいて管理するものである。
【００３１】
データ変換部２０５は提供側端末装置１００から送信されたデータに対して、データ利用者からの要求に応じて提供するためや、データ提供者が提供するデータを決定するために各種の変換処理を施すものである。
【００３２】
変換処理としては、例えば「日本東京都港区港南１−７−１」という住所データを「国名まで：日本」、「都道府県名まで：日本東京都」、「区市町村名まで：日本東京都港区」のようにデータを段階的に公開するように変換するものがある。また、身長（例：１７５ｃｍ）など数値で表されるデータを「１６０ｃｍ〜１９０ｃｍ」、「１７０ｃｍ〜１８０ｃｍ」のように値を段階的に公開するように変換するものがある。
【００３３】
本技術においてデータの変換は、提供するデータに複数の段階（レベル）を設け、そのレベルを提供レベル（プライバシーレベル）とし、プライバシーレベルを下げていくと徐々にデータ自体に近づいていき、プライバシーレベルを上げていくと徐々にデータが自体から遠ざかっていくように変換する。
【００３４】
上述の住所データの例では、「国名まで：日本」よりも「区市町村名まで：日本東京都港区」のほうがプライバシーレベルは下がっている。また、身長データでは「１６０ｃｍ〜１９０ｃｍ」よりも「１７０ｃｍ〜１８０ｃｍ」の方がプライバシーレベルは下がっている。
【００３５】
値で表すことができるデータとしては身長の他に、年齢、金額、体重など各種センサで検出可能な数値など様々なものがあり、どのような値にもこの変換処理を行うことができる。
【００３６】
また、変換処理としては、データを分割し、提供レベル（プライバシーレベル）ごとにデータ利用者に提供するデータ内の情報量を増やしていくという方法もある。
【００３７】
また、変換処理としては統計処理もある。例えば、データが商品の購入履歴など多くの項目からなる場合データ自体がわかりにくいため統計処理を施して統計データにしてわかりやすくする。
【００３８】
さらに、変化処理としては、データが画像や映像、文書ファイルなどである場合、複数の解像度に変化させたり、一部分を見えなくしたりする処理もある。提供レベル（プライバシーレベル）、プライバシーレベルを下げていくと徐々にデータの内容を見て認識することができるようになり、プライバシーレベルを上げていくと徐々にデータの内容を見ても認識しにくくなっていくように変換する。
【００３９】
よって、変化処理には、データの公開度合い設定処理、分割処理、曖昧化処理、統計処理、認識度合い設定処理などがある。
【００４０】
信託処理部２０６は、データ提供者、データ利用者の希望に応じてデータの提供、インセンティブの設定、提供レベルの設定などをデータ提供者、データ利用者の代わりに行う処理部である。なお、信託処理部２０６は必須の構成ではない。信託を行う場合に必要に応じて設ければよい。
【００４１】
データ処理装置２００はサーバやクラウドなどで動作するものでもよい。また、データ処理装置２００のハードウェア以外の構成はプログラムで構成され、そのプログラムは予めデータ処理装置２００内にインストールされていてもよいし、ダウンロード、記憶媒体などで配布されて、情報銀行／情報金庫の運用者などが自らインストールするようにしてもよい。
【００４２】
［１−４．利用側端末装置３００の構成］
次に図４を参照して利用側端末装置３００の構成について説明する。利用側端末装置３００は制御部３０１、記憶部３０２、送受信部３０３、入力部３０４、表示部３０５、データ要求部３０６、データ管理部３０７を備えて構成されている。なお、制御部３０１、記憶部３０２、送受信部３０３、入力部３０４、表示部３０５は提供側端末装置１００が備えるものと同様であるため説明を省略する。
【００４３】
データ要求部３０６はデータ利用者からの入力などに応じてデータ処理装置２００に送信するデータ要求情報を生成し、送受信部３０３を通じてそのデータ要求情報を送信する処理を行うものである。データ要求情報にはデータ利用者が要求するデータのレベルを示す要求レベル情報に加え、インセンティブを示すインセンティブ情報が含まれる場合がある。要求レベルとは、データ利用者がどの程度のデータを要求するかを示す情報である。例えば、住所データの場合、「国名まで」、「都道府県名まで」、「市町村区名まで」、「前住所」のようにデータをどの段階まで要求するかを示すものである。このデータの要求レベルとインセンティブは対応するものである。
【００４４】
データ管理部３０７は、データ処理装置２００から受信して記憶部３０２に保存したデータを種類、形式、データ提供者などに基づいて管理するものである。
【００４５】
利用側端末装置３００は以上のようにして構成されている。利用側端末装置３００の具体例としては例えばスマートフォン、タブレット端末、パーソナルコンピュータ、ウェアラブルデバイス、携帯ゲーム機、サーバなどがある。
【００４６】
［１−５．データシステム１０における処理］
次に図５および図６を参照してデータシステム１０における処理について説明する。説明においてデータの具体例は「日本東京都港区港南１−７−１」という住所データであるとする。
【００４７】
まずステップＳ１０１で提供側端末装置１００においてデータ提供者から住所データが入力される。データが入力されるとステップＳ１０２で提供側端末装置１００はデータ処理装置２００にデータを送信する。
【００４８】
データ処理装置２００に「日本東京都港区港南１−７−１」という住所データが送信されると、ステップＳ１０３でデータ処理装置２００はデータを受信して保存する。なお、データ処理装置２００はデータを保存する際にそのデータを暗号化して保存するとよい。これによりデータを適切に保護することができる。暗号化の手法は特に限定されるものではない。
【００４９】
データ利用者がデータを要求する場合、まずステップＳ１０４に示すようにデータ利用者からの入力に応じてデータ要求部３０６がデータ要求情報を生成する。データ要求情報は「住所データ」という要求するデータの種別と、要求レベルと、要求レベルに応じたインセンティブ（データに対する対価）を示すインセンティブ情報を含むものである。そしてステップＳ１０５に示すようにデータ要求情報を利用側端末装置３００からデータ処理装置２００に送信することによりデータ利用者からのデータ提供要求が行われる。
【００５０】
図５の例では要求するデータの種別は住所データであり、その住所データにおける要求レベルとインセンティブ情報をデータ利用者が「国名まで：１円」、「都道府県名まで：１０円」、「区市町村名まで：１５円」、「全住所：２０円」と設定したとする。
【００５１】
データ処理装置２００のデータ変換部２０５は、利用側端末装置３００からデータ提供要求を受けた場合ステップＳ１０６に示すように、要求レベルに対応させてデータに変換処理を施す。ここでは図５に示すように、「日本東京都港区港南１−７−１」という住所データをデータ利用者が設定した要求レベルである「国名まで」、「都道府県名まで」、「市町村区名まで」、「全住所」という段階に分ける処理を行っている。その結果、「国名まで：日本」、「都道府県名まで：日本東京都」、「区市町村名まで：日本東京都港区」、「全住所：日本東京都港区港南１−７−１」のように住所データが要求レベルごとに分けられる。
【００５２】
そしてデータ処理装置２００はステップＳ１０７に示すように変換処理を施したデータである変換データとそれに対応したインセンティブ情報を提供側端末装置１００に送信する。これによりデータ利用者からデータ提供要求が来ていることをデータ提供者に通知する。なお、変換データとインセンティブ情報は暗号化された状態で提供側端末装置１００に送信するのが好ましい。
【００５３】
変換データとインセンティブ情報を受信した提供側端末装置１００はそれらデータと情報の復号を行い、ステップＳ１０８に示すように提示処理部１０６が表示部１０５に表示してデータ提供者に提供レベルごとのインセンティブを提供者に提示する。これによりデータ提供者は自分が送信したデータの何が要求されているか、どのようなデータを提供するとどれだけのインセンティブを得ることができるかを把握することができる。
【００５４】
そしてステップＳ１０９に示すようにデータ提供者からデータ提供の可否および提供レベルの決定入力があると、ステップＳ１１０に示すように提供側端末装置１００は決定されたデータ提供の可否と決定された提供レベルを示す決定情報をデータ処理装置２００に送信する。
【００５５】
データ処理装置２００は決定情報を受信すると、ステップＳ１１１に示すようにデータ処理装置２００は提供側端末装置１００から送信された提供レベルに応じたデータを提供データとして決定し、ステップＳ１１２に示すようにそのデータを利用側端末装置３００に送信してデータ利用者にデータを提供する。
【００５６】
そして利用側端末装置３００はデータ処理装置２００から送信されたデータを受信するとステップＳ１１３に示すようにそのデータを保存し、ステップＳ１１４に示すようにデータ処理装置２００にインセンティブを送信する。このインセンティブはステップＳ１１５に示すようにデータ処理装置２００から提供側端末装置１００に送信される。
【００５７】
なお、インセンティブは図５に示したようにデータ利用者が決定するのではなく、情報銀行／情報金庫においてデータ処理装置２００が決定してもよい。また、データ提供者がインセンティブを決定してもよい。データ提供者がインセンティブを決定する場合、例えば、インセンティブの下限値を設定し、それ以下のインセンティブではデータ利用者へのデータの提供を許可しない、というようにすることも可能である。これらはデータ処理装置２００の信託処理部２０６がアルゴリズム、機械学習、人工知能などによって行うことができる。
【００５８】
データについては図６に示すようにデータ提供者が提供レベルとデータ提供の可否を決定できるようにしてもよいし、データ処理装置２００が信託処理部２０６で提供レベル、データ提供の可否を決定して、データを運用するようにしてもよい。これも信託処理部２０６がアルゴリズム、機械学習、人工知能などによって行うことができる。
【００５９】
また、データ提供者の手間を軽減するために予めデータ提供条件を設定できるようにしてもよい。例えば、データ提供先であるデータ利用者の条件としてデータ利用者のデータ利用目的を設定してもよい。これはデータ提供者が設定した特定の目的にデータを利用するデータ利用者にのみデータの提供を許可するものである。このためにはデータ処理装置２００はデータ利用者からのデータ要求の際にデータの使用目的を入力して送信させる必要がある。
【００６０】
また、図７に示すようにデータ処理装置２００にスコア算出部２０７を設け、データ利用者によるデータ提供者の評価である提供者スコアと、データ提供者によるデータ利用者の評価である利用者スコアを算出するようにしてもよい。そしてデータ提供者がデータを提供するデータ利用者の条件として利用者スコアを用いてもよいし、データ利用者がデータの提供を受けるデータ提供者の条件として提供者スコアを用いてもよい。
【００６１】
利用者スコアとは、個人、企業、組織、団体などであるデータ利用者の規模、事業規模や成長度、さらに、過去のデータ利用履歴、データ提供者からのフィードバックなどから総合的に算出されるスコアである。この利用者スコアが所定の基準を下回るデータ利用者にはデータを提供しない、利用者スコアが所定の基準を上回るデータ利用者にのみデータを提供する、というような条件を設定できるようにしてもよい。
【００６２】
さらに、データ提供者側がデータ利用者に対する条件としてデータ提供回数制限、データ提供期限、インセンティブ下限などを設定できるようにしてもよい。データ提供回数制限とは１週間、１ヶ月、１年など所定の期間におけるデータ提供者からのデータ利用者へのデータ提供回数に制限を設けるものである。データ提供期限とはデータをデータ処理装置２００に送信してからデータ利用者に提供されるまでの期限である。これを設けることにより例えばデータ提供者が過去にデータ処理装置２００に送信した古いデータがデータ利用者に提供されてしまうことを防止できる。さらに、インセンティブ下限はデータ提供に応じてデータ利用者が得ることができるインセンティブの下限であり、これを設定することによりデータ提供者が納得できない安いインセンティブでデータが提供されてしまうことを防止できる。
【００６３】
また、提供者スコアとは、データ提供者から提供されたデータの価値、有用性、貢献度などをデータ利用者がフィードバックし、それらから総合的に算出されるスコアである。この提供者スコアが所定の基準を下回るデータ提供者からはデータの提供を受けない、提供者スコアが所定の基準を上回るデータ提供者のみからデータの提供を受ける、というような条件を設定できるようにしてもよい。
【００６４】
さらに、データ利用者側がデータ提供者に対する条件として、データ提供者によるデータの継続送信の度合い、データ保存量などを設定できるようにしてもよい。
【００６５】
データの継続送信の度合いとは、データ提供者が所定期間の間に定期的または不定期的にデータを継続して情報銀行／情報金庫に送信しているか否かの示すものである。データを継続的に送信しているデータ提供者の方がデータ利用者にとって有用なデータを提供する蓋然性が高いと考えられるからである。データ保存量とはデータ提供者が情報銀行／情報金庫に送信してデータ処理装置２００に保存されているデータの量である。この量が多いデータ提供者ほど有用、有益、利用価値の高いデータを提供する蓋然性が高いと考えられるからである。
【００６６】
［１−６．ユーザインターフェース］
次にデータ提供者が用いる提供側端末装置１００におけるユーザインターフェースについて説明する。図８は提供側端末装置１００の表示部１０５に表示されるユーザインターフェースの第１の例である。この第１の例は、データ提供者がインセンティブを確認しながらデータの提供レベルを決定するためのユーザインターフェースである。
【００６７】
図８のユーザインターフェースでは提供レベルをプライバシーレベルという指標に置き換えて表示している。プライバシーレベルとは、提供する情報の内容の詳細に応じた指標であり、提供するデータがより詳細になり実データに近づいていくに連れてプライバシーレベルが下がっていく（情報を詳細に提供するため）。一方、提供するデータがより曖昧になり実データから遠ざかっていくに連れてプライバシーレベルが上がっていく（情報を曖昧に提供しているため）。よって、プライバシーレベルが低ければ低いほどデータ提供者が得るインセンティブは上がっていき、プライバシーレベルが低ければ低いほどデータ提供者が得るインセンティブは下がっていく。
【００６８】
図８のユーザインターフェースではプライバシーレベルと、データ提供によりデータ提供者が得ることができるインセンティブと提供するデータが対応付けられて表示されている。図８ではデータは「日本東京都港区港南１−７−１」という住所データであり、その住所データがインセンティブに応じて「前住所：日本東京都港区港南１−７−１」、「市町村区：日本東京都港区」、「都道府県：日本東京都」、「国：日本」、のように段階ごとに分けられるとする。
【００６９】
図８では上から順にインセンティブが高く、インセンティブの高さに応じて提供するデータがより詳細（データが有する情報量が増える）になるように構成されている。これによりデータ提供者は上に表示されているデータを選べば高いインセンティブが得られるということが容易に把握することができる。
【００７０】
図９は提供側端末装置１００の表示部１０５に表示されるユーザインターフェースの第２の例である。この第２の例は、データ提供者がインセンティブを確認しながらデータ提供のレベルを決定するためのユーザインターフェースである。
【００７１】
図９のユーザインターフェースではプライバシーレベルを調整可能なスライダＬとスライダＬの位置に連動して変化するインセンティブ、提供データの内容が表示されている。
【００７２】
スライダＬは左端が最もインセンティブが高く、かつ、プライバシーレベルが低くなっている。また、スライダＬは右端が最もインセンティブが低く、プライバシーレベルが高くなっている。
【００７３】
データ提供者がスライダＬを右にスライドさせるとプライバシーレベルが高くなっていき提供情報が曖昧になりインセンティブが下がっていく。一方、データ提供者がスライダＬを左にスライドさせるとプライバシーレベルが低くなっていき提供情報が詳細になりインセンティブが上がっていく。例えば図９Ａに示すようにスライダＬが左端に位置している場合、プライバシーレベルが最も低く、提供データは全住所となっているが、その状態から図９Ｂに示すようにスライダＬを右に移動させると、プライバシーレベルが１つ上がり、提供データが全住所ではなく市町村区レベルに変化する。そして提供データが有する情報量が少なくなり（情報が曖昧になり）、インセンティブも２０円から１５円に下がっている。このようにスライダＬを移動させることによりデータ提供者は直感的に提供レベルとインセンティブを設定することができる。
【００７４】
なお、スライダＬの右と左は逆でもよいし、スライダＬは左右にスライドさせるのではなく上下にスライドするものであってもよい。さらに、プライバシーレベルを示すものはスライダＬに限られず、例えばダイヤルなどでもよい。
【００７５】
図１０は提供側端末装置１００の表示部１０５において表示されるユーザインターフェースの第３の例である。この第３の例は、データ提供者がインセンティブを確認しながらデータ提供のレベルを決定するためのユーザインターフェースである。第３の例ではデータ提供によりデータ提供者が得られるインセンティブの合計を基準にしてデータ提供の内容を決定することができるものである。
【００７６】
図１０のユーザインターフェースでは、インセンティブ合計額、おすすめ提供データ表示ボタン、提供データ、プライバシーレベル、提供データごとのインセンティブ、詳細設定ボタン、決定ボタンが表示されている。上述した図８および図９のユーザインターフェースでは住所情報という１つの提供データにおける提供レベルを決定するものであったが、図１０のユーザインターフェースは異なる種類の複数のデータにおける提供レベルを決定できるものである。図１０では提供データの種類の例として住所データ、年収データ、健康データ、家族構成データを挙げている。データ提供者はこれら４つデータを情報銀行／情報金庫のデータ処理装置２００に送信しており、それらデータに対してデータ利用者から提供要求が来ているとする。
【００７７】
各提供データは種類ごとにプライバシーレベルを決定することができ、それに応じて各提供データのインセンティブも変化する。例えば、データ提供者がデータ提供により合計１０００円のインセンティブを得たい場合、インセンティブ合計額に「１０００」と入力し、おすすめ提供データ表示ボタンをクリックする。
【００７８】
そうすると提供側端末装置１００は各提供データのインセンティブの合計が１０００円になるように各提供データのプライバシーレベルを調整した結果の一例を表示してデータ提供者に提示する。
【００７９】
その結果を見たデータ提供者は例えばプライバシーレベルを調整したいデータ種類のプライバシーレベルを調整する。この調整は例えばプライバシーレベルをプルダウンメニューで表示してデータ提供者がその中から選べるようにする、という方法がある。
【００８０】
データ提供者からの入力により、いずれかのデータ種類のプライバシーレベルが変更された場合、インセンティブ合計が１０００円で維持されるように提供側端末装置１００は他の提供データのプライバシーレベルを変更してインセンティブを調整する。
【００８１】
このようにしてデータ提供者はインセンティブの合計を基準として提供するデータを決定することもできる。
【００８２】
次にデータ利用者が使用する利用側端末装置３００におけるデータ利用のためのユーザインターフェースの例について説明する。図１１のユーザインターフェースでは、データ検索条件、必要データ、インセンティブ合計、検索実行ボタン、検索結果表示、詳細設定ボタン、購入決定ボタンが表示されている。
【００８３】
例えばデータ利用者が商品のマーケティングのための統計解析に用いるために東京都における、住所（市町村区）、性別、年齢の人口分布を知りたいとする。その場合、データ検索条件に「東京都」と入力し、必要データに「住所（市町村区）」、「性別」、「年齢」と入力する。それに加え、データ提供を受けるに際して支払うインセンティブを入力する。図１１では一例として「１５万円」と入力している。
【００８４】
そしてデータ利用者がデータ検索ボタンに入力を行うと、検索条件と検索実行指示がデータ処理装置２００に送信され、データ処理装置２００がインセンティブが１５万円を上限として東京都内在住者の住所データ、性別データ、年齢データの検索を行う。そして、データ処理装置２００が検索結果を利用側端末装置３００に送信し、検索結果が利用側端末装置３００の表示部３０５に表示される。図１１の例では１万件という件数のみの検索結果が表示されている。ただし、検索結果数件乃至数十件程度である場合検索したデータの詳細一覧を表示するようにしてもよい。
【００８５】
そしてデータ利用者はデータの提供を受ける場合には購入決定ボタンに対して入力を行う。購入決定ボタンに対して入力が行われるとその入力情報がデータ処理装置２００に送信されてデータ処理装置２００から利用側端末装置３００にデータが送信される。
【００８６】
なお、図１１に示したユーザインターフェースにおいては、インセンティブ合計に代えてデータ件数を条件にして検索できるようにしてもよいし、インセンティブ合計とデータ件数の両方を条件にして検索できるようにしてもよい。
【００８７】
以上のようにして本技術の一実施形態が構成されている。本技術によれば、情報銀行／情報金庫などと称される情報流通サービスにおいて、データの提供者が提供レベルの設定を容易に行うことができる。これにより、提供レベルに応じた自己のプライバシーの保護と受け取ることができるインセンティブのバランスの調整も容易に行うことができるようになる。
【００８８】
また、本技術ではデータ処理装置２００でデータ提供者からのデータを管理し、データ利用者からの要求やインセンティブに応じてデータを変換し、データ提供者に変換データとインセンティブを提示する。そして、データ処理装置２００を介してデータ利用者にデータを提供する。これにより、データ提供者、データ利用者双方が手軽に情報銀行／情報金庫という情報流通サービスを利用することができ、情報流通サービスの発展を促すことができる。
【００８９】
＜２．変形例＞
以上、本技術の実施の形態について具体的に説明したが、本技術は上述の実施の形態に限定されるものではなく、本技術の技術的思想に基づく各種の変形が可能である。
【００９０】
実施の形態では提供側端末装置１００はデータを送信する装置であり、かつ、データ提供者が操作して提供データを決定する装置であるとしたが、データを送信する装置と提供データを決定する装置は別の装置でもよい。例えばデータを送信する装置は生体センサを備えるウェアラブルデバイスであり、提供データを決定する装置はスマートフォンである場合などである。
【００９１】
提供側端末装置１００はデータ提供者からのデータの入力がなくても自らデータを取得してデータ処理装置２００に送信する場合もある。自らデータを取得とは例えば、カメラ、マイクホロン、各種センサなどでデータを取得することである。
【００９２】
データ処理装置２００から利用側端末装置３００へのデータの提供はデータそのものの送信ではなく、情報銀行／情報金庫がデータをクラウド上に保持し、そのデータをネットワークを介して参照、使用する権利をデータ利用者に付与する形で行ってもよい。
【００９３】
本技術は以下のような構成も取ることができる。
（１）
データ提供者の端末装置から送信されたデータを受信する受信部と、
データ利用者の要求に応じて前記データを変換するデータ変換部と、
変換データを前記データ提供者の端末装置に送信する送信部と
を備えるデータ処理装置。
（２）
前記決定情報に対応した前記変換データを前記データ利用者の端末装置に送信する（１）に記載のデータ処理装置。
（３）
前記変換データと共に該変換データの提供に応じたインセンティブを示すインセンティブ情報を前記データ提供者の端末装置に送信する（１）または（２）に記載のデータ処理装置。
（４）
前記データ提供者の前記端末装置において決定された前記データ利用者に提供する前記変換データを示す決定情報を前記端末装置から受信する（１）から（３）のいずれかに記載のデータ処理装置。
（５）
前記インセンティブ情報は前記データ利用者の端末装置から受信する（４）に記載のデータ処理装置。
（６）
前記インセンティブ情報を生成する（４）に記載のデータ処理装置。
（７）
前記データ変換部は、複数の要素からなる前記データを前記データ利用者が設定した段階ごとに分類する（１）から（６）のいずれかに記載のデータ処理装置。
（８）
受信した前記データを暗号化して保存する（１）から（７）のいずれかに記載のデータ処理装置。
（９）
データ提供者の端末装置から送信されたデータを受信し、
データ利用者の要求に応じて前記データを変換し、
変換データを前記データ提供者の端末装置に送信する
データ処理方法。
（１０）
データ提供者の端末装置から送信されたデータを受信し、
データ利用者の要求に応じて前記データを変換し、
変換された前記データを前記データ提供者の前記端末装置に送信する
情報処理方法をコンピュータに実行させるデータ処理プログラム。
（１１）
データ提供者の端末装置において、
データをデータ処理装置に送信し、
前記データ処理装置が変換処理を施して送信した変換データを受信し、
受信した前記変換データをデータ提供者に提示する
制御方法を実行させる制御プログラム。
（１２）
前記端末装置が備える表示部に前記変換データを表示させて前記データ提供者に提示する（１１）に記載の制御プログラム。
（１３）
前記変換データに対応したインセンティブ情報を前記データ処理装置から受信し、前記インセンティブ情報を前記データ提供者に提示する（１１）または（１２）に記載の制御プログラム。
（１４）
前記データ提供者からの入力に基づき決定された、提供するデータを示す決定情報を前記データ処理装置に送信する（１１）から（１３）のいずれかに記載の制御プログラム。
（１５）
データをデータ処理装置に送信する送信部と、
データ処理装置が変換処理を施して送信した前記データを受信する受信部と、
受信した前記データをデータ提供者に提示する提示処理部と
を備える端末装置。
【符号の説明】
【００９４】
１００・・・提供者端末装置
１０３、２０３・・・送受信部
１０６・・・提示処理部
２００・・・データ処理装置
２０５・・・データ変換部
３００・・・利用側端末装置
【図１】
2020190797.tif 000003
【図２】
2020190797.tif 000004
【図３】
2020190797.tif 000005
【図４】
2020190797.tif 000006
【図５】
2020190797.tif 000007
【図６】
2020190797.tif 000008
【図７】
2020190797.tif 000009
【図８】
2020190797.tif 000010
【図９】
2020190797.tif 000011
【図１０】
2020190797.tif 000012
【図１１】
2020190797.tif 000013